(57)【特許請求の範囲】
【請求項１】
外部の通信ネットワークと無線を用いて情報の送受信を行う無線部と、
あらかじめ登録された音声情報および前記無線部を介して前記通信ネットワークから伝達された音声情報を含む音源を再生する音源部と、
前記無線部を介して外部の通信ネットワークに送信される送話音声を含む音声情報が入力される音声入力部と、
前記無線部により受信された無線信号を復調することにより抽出された受話音声、前記音源部により再生された音源を含む音声情報を出力する音声出力部と、
前記音声入力部から入力された音声情報を前記音声出力部に伝達する側音経路に設けられて、前記音声入力部から入力され、前記側音経路を経由して前記音声出力部に出力される音声情報の音量を切り替える側音音量切替部と、
前記無線部の動作状態に応じて通話中か否かを判定する通話判定手段を有し、この通話判定手段により、前記無線部の動作状態が通話中であると判定された場合に、前記音声入力部から入力された音声の音量を小さくし、前記無線部の動作状態が通話中でないと判定された場合に、前記音声入力部から入力された音声の音量を大きくするように、前記側音音量切替部を制御する制御部とを備えたカラオケ機能搭載携帯電話機。
【請求項２】
音源部は、カラオケ用のメロディを発生する音源発生手段、音声入力部から側音経路を経由して入力された音声と前記音源発生手段から発生されたメロディを重畳する音声重畳手段を含むことを特徴とする請求項１に記載のカラオケ機能搭載携帯電話機。
【請求項３】
制御手段は、音源出力部より出力されたメロディに同期した歌詞を表示手段に表示することを特徴とする請求項２に記載のカラオケ機能搭載携帯電話機。
【請求項４】
音源部は、外国語練習用の音声を発生する音源発生手段、音声入力部から側音経路を経由して入力された音声と前記音源発生手段から発生された外国語練習用の音声を重畳する音声重畳手段を含むことを特徴とする請求項１に記載のカラオケ機能搭載携帯電話機。
【請求項５】
音声入力部から入力した音声の側音音量を測定する音量測定手段を備え、制御部は、前記音量測定手段により測定された音量に応じて前記音声入力部から入力した音声の側音音量を切り替えることを特徴とする請求項１に記載のカラオケ機能搭載携帯電話機。
【請求項６】
音声入力部から入力した音声の側音音量を操作に応じて調整する操作手段を備えたことを特徴とする請求項１に記載のカラオケ機能搭載携帯電話機。
【請求項７】
カラオケ用のメロディを発生すると共に、操作手段による操作に応じて拍手や歓声等の効果音を発生する音源発生手段を備えたことを特徴とする請求項２または請求項４に記載のカラオケ機能搭載携帯電話機。
【請求項８】
音声入力部から入力した音声にエコーまたはボイスチェンジ等の加工する音声加工手段を備えたことを特徴とする請求項１に記載のカラオケ機能搭載携帯電話機。
【請求項９】
音声入力部から入力した音声と音源発生手段から発生されたメロディとを加算する音声加算手段と、前記音声加算手段により加算された音声を記憶する記憶手段とを備え、
音声出力部は、前記記憶手段により記憶され、加算された音声を出力することを特徴とする請求項２または請求項４に記載のカラオケ機能搭載携帯電話機。
【請求項１０】
記憶手段により記憶され、加算された音声を変調し、送信する送信手段を備えたことを特徴とする請求項９に記載のカラオケ機能搭載携帯電話機。
【発明の詳細な説明】
【０００１】
【発明の属する技術分野】
この発明は、カラオケ機能搭載携帯電話機に関するものである。
【０００２】
【従来の技術】
図４は例えば特開平１１−１１２６１５号公報に記載された従来の携帯電話機を示すブロック構成図であり、図において、３１はビートとテンポと音階データとからなる曲データを入力する入力部、３２は各種データを表示する表示部、３３は各種データを記憶する記憶部、３４は通話相手の音声を受信する通話制御部、３５は音階データを一時記憶する一時記憶部、３６はオーディオ信号を発生する音源発生部、３７は通話相手の音声とオーディオ信号とを合成する混合器、３８は音声を出力するスピーカである。
【０００３】
入力部３１によってビートとテンポと音階データとからなる曲データを入力して、表示部３２に表示させると共に、記憶部３３に記憶させる。その後、入力部３１の操作によって記憶部３３から演奏する曲データのテンポに合わせた速度で、音階データを読み出して、一時記憶部３５に一時記憶する。音源発生部３６は、一時記憶部３５から音階データを読み出してオーディオ信号に変換して混合器３７に出力する。また、通話制御部３４は、通話相手の音声を受信して混合器３７に出力する。混合器３７は、通話相手の音声とオーディオ信号とを合成し、スピーカ３８からその合成された音声を出力する。
【０００４】
【発明が解決しようとする課題】
従来の携帯電話機は以上のように構成されているので、通話相手の音声に対するＢＧＭを目的として、通話相手の音声とオーディオ信号とを合成したものであり、カラオケ機能を実現するために、自分の音声とメロディとを重畳するものではない。
また、携帯電話において、自分の音声をそのままレシーバに出力する側音経路があるが、このような側音経路は、通話において相手音声の妨げにならないように、側音経路の音量を小さくしており、また、通話中にしか使用しない機能であるため、音量のレベルは固定である。したがって、カラオケを行なうためには、自分の音声を認識できるレベルの音量が必要であり、音量が足りない。
さらに、従来どおり通話中の側音経路も必要なため、通話中とカラオケ時で側音のレベルを変更する必要があるが、従来の回路では変更できないなどの課題があった。
【０００５】
この発明は上記のような課題を解決するためになされたもので、カラオケ機能搭載携帯電話機を得ることを目的とする。
【０００６】
【課題を解決するための手段】
この発明に係るカラオケ機能搭載携帯電話機は、外部の通信ネットワークと無線を用いて情報の送受信を行う無線部と、あらかじめ登録された音声情報および前記無線部を介して前記通信ネットワークから伝達された音声情報を含む音源を再生する音源部と、前記無線部を介して外部の通信ネットワークに送信される送話音声を含む音声情報が入力される音声入力部と、前記無線部により受信された無線信号を復調することにより抽出された受話音声、前記音源部により再生された音源を含む音声情報を出力する音声出力部と、前記音声入力部から入力された音声情報を前記音声出力部に伝達する側音経路に設けられて、前記音声入力部から入力され、前記側音経路を経由して前記音声出力部に出力される音声情報の音量を切り替える側音音量切替部と、前記無線部の動作状態に応じて通話中か否かを判定する通話判定手段を有し、この通話判定手段により、前記無線部の動作状態が通話中であると判定された場合に、前記音声入力部から入力された音声の音量を小さくし、前記無線部の動作状態が通話中でないと判定された場合に、前記音声入力部から入力された音声の音量を大きくするように、前記側音音量切替部を制御する制御部とを備えたものである。
【０００７】
この発明に係るカラオケ機能搭載携帯電話機は、音源部に、カラオケ用のメロディを発生する音源発生手段、音声入力部から側音経路を経由して入力された音声と前記音源発生手段から発生されたメロディを重畳する音声重畳手段を含むものである。
【０００８】
この発明に係るカラオケ機能搭載携帯電話機は、制御手段において、音源出力部より出力されたメロディに同期した歌詞を表示手段に表示するようにしたものである。
【０００９】
この発明に係るカラオケ機能搭載携帯電話機は、音源部に、外国語練習用の音声を発生する音源発生手段、音声入力部から側音経路を経由して入力された音声と前記音源発生手段から発生された外国語練習用の音声を重畳する音声重畳手段を含むものである。
【００１０】
この発明に係るカラオケ機能搭載携帯電話機は、音声入力部から入力した音声の側音音量を測定する音量測定手段を備え、制御部は、前記音量測定手段により測定された音量に応じて前記音声入力部から入力した音声の側音音量を切り替えるようにしたものである。
【００１１】
この発明に係るカラオケ機能搭載携帯電話機は、音声入力部から入力した音声の側音音量を操作に応じて調整する操作手段を備えたものである。
【００１２】
この発明に係るカラオケ機能搭載携帯電話機は、カラオケ用のメロディを発生すると共に、操作手段による操作に応じて拍手や歓声等の効果音を発生する音源発生手段を備えたものである。
【００１３】
この発明に係るカラオケ機能搭載携帯電話機は、音声入力部から入力した音声にエコーまたはボイスチェンジ等の加工する音声加工手段を備えたものである。
【００１４】
この発明に係るカラオケ機能搭載携帯電話機は、音声入力部から入力した音声と音源発生手段から発生されたメロディとを加算する音声加算手段と、前記音声加算手段により加算された音声を記憶する記憶手段とを備え、音声出力部は、前記記憶手段により記憶され、加算された音声を出力するようにしたものである。
【００１５】
この発明に係るカラオケ機能搭載携帯電話機は、記憶手段により記憶され、加算された音声を変調し、送信する送信手段を備えたものである。
【００１６】
【発明の実施の形態】
以下、この発明の実施の一形態を説明する。
実施の形態１．
図１はこの発明の実施の形態１によるカラオケ機能搭載携帯電話機を示すブロック構成図であり、図において、１はアンテナ、２は無線部（通話判定手段）、３は制御情報を格納するメモリ、４は携帯電話の制御を行なう制御部（通話判定手段、制御手段）、５は携帯電話の操作を行なうためのキー、６は文字や絵を写すための携帯電話の画面（表示手段）である。
７は携帯電話に使用するイヤホンマイクのイヤホン部（音声出力手段）、８はイヤホンマイクのマイク部（音声入力手段）、９は携帯電話内部にあるマイク部（音声入力手段）、１０はイヤホンマイクを挿入するＨＳＪ部、１１は送話音声の音量調整をするボリューム、１２は側音の音量調整するボリューム（音量切替手段）、１３はこの発明の特徴部分として設けた、制御部４からの制御で側音ボリュームを切替えるための側音音量切替装置（音量切替手段）、１４は送話音声をデジタル信号に変換するＡ／Ｄコンバータ、１５は音声のデジタル処理を行なうベースバンド部、１６は受話音声のデジタル信号をアナログ信号に変換するＤ／Ａコンバータ、１７は側音と受話音声の重畳回路、１８はカラオケ用および着信音等のメロディを発生する音源部（音源発生手段）、１９，２０は音源部１８から発生するデジタル信号をアナログ信号に変換するＤ／Ａコンバータ、２１，２２は受話音声と音源部１８から発生した音の重畳回路（音声重畳手段）、２３，２４は携帯電話内部側受話音声の音量調整をするボリューム、２５は出力アンプ、２６はレシーバ（音声出力手段）、２７は携帯電話に搭載する小型スピーカに出力する音声を調整するためのボリューム、２８は小型スピーカ用出力アンプ、２９は小型スピーカ（音声出力手段）である。
【００１７】
次に動作について説明する。
まず、イヤホンマイクのマイク部８または携帯電話内部のマイク部９から入力した音声を、音源部１８から出力されるメロディと重畳させてイヤホンマイクのイヤホン部７、携帯電話内部のレシーバ２６または、携帯電話内部の小型スピーカ２９から出力させる処理について、図１に基づいて説明する。
まず、イヤホンマイクのマイク部８または携帯電話内部のマイク部９から入力した音声は、送話側のボリューム１１を通ってから、側音経路側のボリューム１２に入力される。
側音経路側のボリューム１２にて音声の音量を調整してから、受話音声との重畳回路１７を通って、重畳回路２１，２２に入力される。
【００１８】
また、音源部１８からはカラオケ用のメロディを出力し、Ｄ／Ａコンバータ１９，２０にて、アナログ信号に変換してから、重畳回路２１，２２にて側音経路を通った音声と重畳される。この時、音源部１８から出力されるメロディに連動した歌詞が画面６に表示される。
なお、メモリ３に予め複数のカラオケ用の曲、および歌詞を記憶しておき、ユーザのキー５の操作により、それら曲の一覧表を画面６に表示し、ユーザのキー５の選択に応じたカラオケ用の曲を音源部１８に供給すると共に、その音源部１８から出力されるメロディに連動した歌詞を制御部４の制御により画面６に表示するようにしても良い。
さらに、アンテナ１、無線部２、およびベースバンド部１５を通じて配信されたカラオケ用の曲、および歌詞を、制御部４の制御により一旦メモリ３に記憶すると共に、ユーザのキー５の操作に応じてカラオケ用の曲を音源部１８に供給すると共に、その音源部１８から出力されるメロディに連動した歌詞を制御部４の制御により画面６に表示するようにしても良い。
【００１９】
メロディと重畳された音声を、イヤホンマイクのイヤホン部７または携帯電話内部のレシーバ２６に出力する場合は、受話ボリューム２３，２４を通った後、出力アンプ２５から出力する。携帯電話内部の小型スピーカ２９から出力する場合は、スピーカ用ボリューム２７を通って、スピーカ用出力アンプ２８から出力する。
【００２０】
また、側音音量切替装置１３によって、イヤホンマイクのマイク部８または本体内部のマイク部９から入力した音声を、音声の発声者が聞くことができる。音源部１８から出力する音をメロディではなく、外国語練習用の音声にすることで、外国語会話の練習をすることもできる。
この場合、メモリ３に予め外国語練習用の音声を記憶しておき、ユーザのキー５の操作により、外国語練習用の音声を音源部１８に供給するようにすれば良い。
【００２１】
次に、側音経路用のボリューム１２を通話時とカラオケ時で変更する処理について、図１および図２に基づいて説明する。
図２はこの発明の実施の形態１による側音経路用のボリュームの切り替え処理を示すフローチャートであり、まず、制御部４により、無線部２の動作状態から、携帯電話の状態が通話中かどうかを調べ（ＳＴ１）、携帯電話の状態を示す変数を側音音量切替装置１３に書き込む（ＳＴ２，ＳＴ３）。側音音量切替装置１３には、予め携帯電話の状態に応じた側音経路用のボリューム１２の設定値が書き込まれており（例えば、通話中は小、非通話中は大）、側音音量切替装置１３に携帯電話の状態を示す変数が書き込まれると同時に、側音経路用のボリューム１２にボリュームを書き込む（ＳＴ４）。
通話の終了または通話開始がおこり、携帯電話の状態が変更するまで、側音ボリューム１２に書かれるボリュームを維持する（ＳＴ５）。
【００２２】
実施の形態２．
以下、この発明の実施の形態２を図に基づいて説明する。
図１にて、イヤホンマイクのマイク部８または携帯電話内部のマイク部９から入力した音声を、Ａ／Ｄコンバータ１４にてデジタルデータに変換し、ベースバンド部（音量測定手段）１５にて音声の音量レベルを測定する。ベースバンド部１５にて測定された、音量レベルに応じた側音音量の変数を、制御部４から側音音量切替装置１３に書き込む。側音音量切替装置１３は制御部４から書き込まれた変数に応じたボリュームを側音経路用のボリューム１２に書き込む。
このようにして、入力した音声の音量をカラオケまたは外国語練習に適切な音量に自動的に調整することができる。
【００２３】
また、Ａ／Ｄコンバータ１４にて変換されたデジタルデータのレベルに応じて自動的に側音経路用のボリューム１２を調整するだけでなく、携帯電話のキー（操作手段）５で音量調整の操作を行なうこともできる。
【００２４】
さらに、キー５の操作によって、拍手や歓声といった効果音を音源部１８から出力することもできる。
【００２５】
さらに、側音経路用のボリューム１２と重畳回路１７の間に音声加工回路を追加することで、イヤホンマイクのマイク部８または携帯電話内部のマイク部９から入力した音声に、エコーをかけたり、男の声を女の声に変更したりするボイスチェンジを行なったりできる。
【００２６】
実施の形態３．
以下、この発明の実施の形態３を図に基づいて説明する。
図３はこの発明の実施の形態３によるカラオケ機能搭載携帯電話機を示すブロック構成図であり、図において、イヤホンマイクのマイク部８または携帯電話内部のマイク部９から入力した音声を、音源部１８から出力されるメロディと重畳させてイヤホンマイクのイヤホン部７、携帯電話内部のレシーバ２６または携帯電話内部の小型スピーカ２９から出力する処理についは、メロディをベースバンド部１５に内蔵されている音源部１８から出力する以外は、実施の形態１と同じである。
【００２７】
イヤホンマイクのマイク部８または携帯電話内部のマイク部９から入力した音声をＡ／Ｄコンバータ１４でデジタルデータに変換し、ベースバンド部１５に入力する。ベースバンド部（音声加算手段）１５にて、入力された音声のデジタルデータと、音源部１８から出力しているメロディのデジタルデータを加算し、メモリ（記憶手段）３０に格納する。メモリ３０に格納されたデータは、音声とメロディが重畳されたデータになっており、イヤホンマイクのイヤホン部７、本体内部のレシーバ２６または携帯電話内部の小型スピーカ２９から出力されている音と同じデータになる。
メモリ３０に格納されたデータは、キー５の操作によって、取り出すことができる。取り出されたデータは、Ｄ／Ａコンバータ１９，２０でアナログ信号に変換され、イヤホンマイクのレシーバ部７、携帯電話内部のレシーバ２６または携帯電話内部の小型スピーカ２９から出力することができ、いつでも、自分の歌声をメロディに重畳させて確認することができる。
【００２８】
また、メモリ３０に格納されたデータは、無線部（送信手段）２で変調した後アンテナ１で送信することができる。このことによって、通話相手に、自分の歌声を聞かせたり、コンテンツプロバイダ等に送信して自分の歌声を採点してもらうことができる。
【００２９】
実施の形態４．
以下、この発明の実施の形態４を図に基づいて説明する。
図３において、携帯電話を通話状態にして、ベースバンド部１５内の音源部１８からメロディをＤ／Ａコンバータ１９，２０に出力すると同時に、無線部２にも出力する。無線部２でメロディを変調しアンテナ１で送信する。通話相手が、このメロディに合わせて歌い、通話相手の歌声をアンテナ１で受信し無線部（受信手段）２で復調する。ベースバンド部１５から、Ｄ／Ａコンバータ１６に出力し、イヤホンマイクのマイク部８または携帯電話内部のマイク部９から入力した音声と、重畳回路（音声重畳手段）１７で重畳し、さらに、音源部１８からのメロディと重畳回路（音声重畳手段）２１，２２で重畳することで、通話相手とデュエットできる。
なお、無線部２、アンテナ１を通して通話相手に送信するメロディは、メロディを送信してから、通話相手の音声を受信するまでの時間分だけ、携帯電話内部で、Ｄ／Ａコンバータ１９，２０に出力タイミングよりはやく出力するようにする。
【００３０】
【発明の効果】
以上のように、この発明によれば、外部の通信ネットワークと無線を用いて情報の送受信を行う無線部と、あらかじめ登録された音声情報および前記無線部を介して前記通信ネットワークから伝達された音声情報を含む音源を再生する音源部と、前記無線部を介して外部の通信ネットワークに送信される送話音声を含む音声情報が入力される音声入力部と、前記無線部により受信された無線信号を復調することにより抽出された受話音声、前記音源部により再生された音源を含む音声情報を出力する音声出力部と、前記音声入力部から入力された音声情報を前記音声出力部に伝達する側音経路に設けられて、前記音声入力部から入力され、前記側音経路を経由して前記音声出力部に出力される音声情報の音量を切り替える側音音量切替部と、前記無線部の動作状態に応じて通話中か否かを判定する通話判定手段を有し、この通話判定手段により、前記無線部の動作状態が通話中であると判定された場合に、前記音声入力部から入力された音声の音量を小さくし、前記無線部の動作状態が通話中でないと判定された場合に、前記音声入力部から入力された音声の音量を大きくするように、前記側音音量切替部を制御する制御部とを備えるように構成したので、音声出力部から聞こえる音声情報に合わせて、音声入力部から音声情報を入力すれば、側音経路を通じて音声出力部からそれら音声情報が重畳された音声を聴くことができ、カラオケ機能を満たした携帯電話が得られる効果がある。
また、この発明によれば、カラオケを使用しない通常通話時には、入力した音声の側音音量を小さくすることによって、側音経路を通じて音声出力部から聞こえる自分の声を絞ることができ、また、カラオケを使用する通常通話以外には、入力した音声の側音音量を大きくすることによって、側音経路を通じて音声出力部から聞こえる自分の声を大きくすることができ、通常通話時での利用を妨げることなく、カラオケ機能の利便性を高めることができる効果がある。
【００３１】
さらに、この発明によれば、音源部に、カラオケ用のメロディを発生する音源発生手段、音声入力部から側音経路を経由して入力された音声と前記音源発生手段から発生されたメロディを重畳する音声重畳手段を含むように構成したので、カラオケ機能を満たした携帯電話が得られる効果がある。
【００３２】
さらに、この発明によれば、制御手段において、音源出力部より出力されたメロディに同期した歌詞を表示手段に表示するように構成したので、携帯電話の表示手段に、鳴動中のメロディに同期した歌詞を表示させることで、メロディの歌詞を見ながらカラオケ音声を聞くことができ、カラオケ機能の利便性を高めることができる効果がある。
【００３３】
さらに、この発明によれば、音源部に、外国語練習用の音声を発生する音源発生手段、音声入力部から側音経路を経由して入力された音声と前記音源発生手段から発生された外国語練習用の音声を重畳する音声重畳手段を含むように構成したので、音声出力部から聞こえる外国語練習用の音声に合わせて、音声入力部から音声を入力すれば、側音経路を通じて音声出力部からそれら外国語練習用の音声と自分の音声とが重畳された音声を聴くことができ、外国語会話の練習機能を満たした携帯電話が得られる効果がある。
【００３４】
さらに、この発明によれば、音声入力部から入力した音声の側音音量を測定する音量測定手段を備え、制御部は、前記音量測定手段により測定された音量に応じて前記音声入力部から入力した音声の側音音量を切り替えるように構成したので、入力した音声の音量をカラオケに適切な音量になるように自動的に調整できると共に、ハウリングを防止する効果がある。
【００３５】
さらに、この発明によれば、音声入力部から入力した音声の側音音量を操作に応じて調整する操作手段を備えるように構成したので、入力した音声の側音音量をカラオケに適切な音量になるように操作によって調整できると共に、ハウリングを防止する効果がある。
【００３６】
さらに、この発明によれば、カラオケ用のメロディを発生すると共に、操作手段による操作に応じて拍手や歓声等の効果音を発生する音源発生手段を備えるように構成したので、カラオケの最中に、操作手段による操作に応じて効果音を発生させることができる効果がある。
【００３７】
さらに、この発明によれば、音声入力部から入力した音声にエコーまたはボイスチェンジ等の加工する音声加工手段を備えるように構成したので、自分の音声にエコーをかけたり、男の声を女の声に変えたりするボイスチェンジをしたりして、自分の音声に効果を付加することができる効果がある。
【００３８】
さらに、この発明によれば、音声入力部から入力した音声と音源発生手段から発生されたメロディとを加算する音声加算手段と、音声加算手段により加算された音声を記憶する記憶手段とを備え、音声出力部は、前記記憶手段により記憶され、加算された音声を出力するように構成したので、メロディに重畳した自分の歌声を録音できる効果がある。
【００３９】
さらに、この発明によれば、記憶手段により記憶され、加算された音声を変調し、送信する送信手段を備えるように構成したので、録音したメロディに重畳した自分の歌声を、通話相手またはコンテンツプロバイダ等の携帯電話サービスに送信したりできる効果がある。
【図面の簡単な説明】
【図１】  この発明の実施の形態１によるカラオケ機能搭載携帯電話機を示すブロック構成図である。
【図２】  この発明の実施の形態１による側音経路用のボリュームの切り替え処理を示すフローチャートである。
【図３】  この発明の実施の形態３によるカラオケ機能搭載携帯電話機を示すブロック構成図である。
【図４】  従来の携帯電話機を示すブロック構成図である。
【符号の説明】
１  アンテナ、２  無線部（通話判定手段、送信手段、受信手段）、３  メモリ、４  制御部（通話判定手段、制御手段）、５  キー（操作手段）、６  画面（表示手段）、７  イヤホン部（音声出力手段）、８，９  マイク部（音声入力手段）、１０  ＨＳＪ部、１１  ボリューム、１２  ボリューム（音量切替手段）、１３  側音音量切替装置（音量切替手段）、１４  Ａ／Ｄコンバータ、１５  ベースバンド部（音量測定手段、音声加算手段）、１６  Ｄ／Ａコンバータ、１７，２１，２２  重畳回路（音声重畳手段）、１８  音源部（音源発生手段）、２３，２４，２７  ボリューム、２５  出力アンプ、２６  レシーバ（音声出力手段）、２８  小型スピーカ用出力アンプ、２９  小型スピーカ（音声出力手段）、３０  メモリ（記憶手段）。
【図１】
0003892243.tif 000002
【図２】
0003892243.tif 000003
【図３】
0003892243.tif 000004
【図４】
0003892243.tif 000005